(57)【要約】【課題】バックグランド・フォーマット処理が異常中断しても、フォーマット処理中に書き込んだユーザデータを破壊することなくフォーマット処理を再開する。【解決手段】バックグランド・フォーマット処理を再開する場合、ディスクのフォーマットデータを書き込む領域のＲＦ信号の有無を確認（Ｓ１）。ＲＦ信号のないとき（Ｓ１のＮｏ）、フォーマットデータを書き込み（Ｓ２）、処理Ｓ３へ移る。処理Ｓ１にて、ＲＦ信号のあるとき（Ｓ１のＹｅｓ）、処理Ｓ３へ移る。ディスクの全領域にフォーマットデータが書き込まれたフォーマット処理の終了を確認する（Ｓ３）。フォーマット処理終了でないとき（Ｓ３のＮｏ）、処理Ｓ１へ移り、次領域に前述の処理を行う。フォーマット処理終了のとき（Ｓ３のＹｅｓ）、処理を終了する。バックグランド・フォーマット処理が異常終了したとき、ユーザデータを壊すことなくフォーマット処理を再開することができる。【選択図】図２
2005063597.tif 000002
【特許請求の範囲】
【請求項１】
書き換え可能な情報記録媒体に読み書きを行う情報記録再生装置において、
フォーマット処理が中断された前記情報記録媒体に、前記フォーマット処理を再開する際、実行する領域にＲＦ信号の有無を検出する検出手段と、前記検出手段の前記領域における前記ＲＦ信号の検出に応じて、前記フォーマット処理の実行可否を制御する制御手段とを備えたことを特徴とする情報記録再生装置。
【請求項２】
フォーマット処理済み情報記録媒体の再フォーマット処理を開始する前に、前記情報記録媒体の全領域のＲＦ信号を消去する消去手段を備えたことを特徴とする請求項１記載の情報記録再生装置。
【請求項３】
前記検出手段によりＲＦ信号を検出した領域のデータを読み出す読出手段と、前記読出手段により読み出したデータとフォーマット処理で書き込むデータとの一致を判定する判定手段と、前記判定手段におけるデータ一致の判定に応じて、前記フォーマット処理の実行可否を制御する制御手段とを備えたことを特徴とする請求項１記載の情報記録再生装置。
【請求項４】
前記検出手段によりＲＦ信号を検出した領域のデータを読み出す読出手段と、前記読出手段により読み出した前記データを前記領域に再び書き込む書込手段とを備えたことを特徴とする請求項１記載の情報記録再生装置。
【請求項５】
書き換え可能な情報記録媒体に読み書きを行う情報記録再生装置のフォーマット方法において、
フォーマット処理が中断された前記情報記録媒体に、前記フォーマット処理を再開する際、実行する領域において検出手段でＲＦ信号の有無を検出し、前記検出手段の前記領域における前記ＲＦ信号の検出に応じて、制御手段の前記フォーマット処理の実行可否を制御することを特徴とするフォーマット方法。
【請求項６】
フォーマット処理済み情報記録媒体の再フォーマット処理を開始する前に、消去手段により前記情報記録媒体の全領域のＲＦ信号を消去することを特徴とする請求項５記載のフォーマット方法。
【発明の詳細な説明】
【技術分野】
【０００１】
本発明は、書き換え可能型の情報記録媒体に読み書きを行う情報記録再生装置において、ＣＤ−ＲＷ，ＤＶＤ＋ＲＷ，ＤＶＤ−ＲＷ、ＤＶＤ−ＲＡＭ等の情報記録媒体のフォーマット処理を行う情報記録再生装置及びフォーマット方法に関するものである。
【背景技術】
【０００２】
近年、パーソナルコンピュータの多くに搭載されている情報記録再生装置に用いる情報記録媒体（以下、ディスクという）において、例えば、ＣＤ−ＲＷ（Ｃompact Ｄisc Ｒe-Ｗritable）、ＤＶＤ＋ＲＷ（ＤＶＤ＋Ｒe-Ｗritable）のような書き換え可能なディスクをランダムアクセスで使用可能にするためには、最初にフォーマットを行う必要がある。
【０００３】
フォーマットとは、特定のパターンをディスクに書き込み、ディスクのブランク領域を埋め、また、欠陥領域の検出を行う処理である。しかし、フォーマット処理によりディスク全体の領域を埋めるためには時間がかかるため、ディスクが使用可能になるまで長時間待たなければならなかった。そこで、最近ではフォーマット処理に時間がかかることを回避するために、バックグランド・フォーマットと言われる処理が行われている。
【０００４】
バックグランド・フォーマットとは、フォーマット処理において、初めに最小限の部分を書き込んで、例えば、リードイン（Ｌead−in）領域を書き込み、約１分後には書き込み可能とし、この時点で一旦終了して、ディスク全体の領域を埋める処理は、ディスクへのアクセスがないときに行って、フォーマット処理が完了すると自動的にリードアウト（Ｌead−out）領域が作成される方法である。これにより、見掛け上、一瞬でフォーマット処理が終了し、ユーザは直ぐに使用できるようになる。
【０００５】
そして、特許文献１にも、バックグランドでフォーマット処理を行うことにより、ユーザがフォーマット処理の終了まで待たずに読み書きを可能にするため、ユーザデータの書き込みが要求されたときはフォーマット処理を中断し、そのユーザデータ書き込み終了後にフォーマット処理を再開することが記載されている。
【０００６】
また、前述のバックグランド・フォーマット処理中において、フォーマットの処理終了を待たずに中断してユーザデータの書き込みを行う場合、書き込まれるユーザデータは、ディスクの任意の位置に書き込まれることから、フォーマット処理が済んでいない領域に書き込まれる場合もある。
【０００７】
したがって、バックグランド・フォーマット処理を再開する場合には、ユーザデータを破壊しないようにしなければならない。通常、この問題を回避するために、ＤＶＤ＋ＲＷではビットマップと呼ばれるテーブルを保持し、ディスク上に記録している。
【０００８】
ビットマップとは、例えば、１ＥＣＣブロック単位にデータが書き込まれているか、媒体のどの位置にデータが書き込まれているか等のデータ管理情報を示すテーブルで、バックグランド・フォーマット処理が終了するまでディスク上に記録されており、このビットマップを参照することにより中断されたバックグランド・フォーマット処理が再開できるようになっている。
【特許文献１】特開平１１−１３４７９９号公報
【発明の開示】
【発明が解決しようとする課題】
【０００９】
しかしながら、このような情報記録再生装置のフォーマット方法には、バックグランド・フォーマット処理の完了前に電源断が発生すると、ビットマップのような管理情報を用いていても、通常のＣＤ−ＲＷ，ＤＶＤ＋ＲＷでは、書き換え可能な回数に限りがあって、頻繁に更新すると直ぐにディスクが劣化してしまうため頻繁に更新することがないことから、特にビットマップの更新前に、電源断などによってフォーマット処理が異常中断してしまうと、フォーマット処理の再開時において、ユーザデータが書き込まれている位置がわからなくなり、バックグランド・フォーマット処理中に書き込まれたユーザデータを破壊してしまうという問題があった。
【００１０】
本発明は、前記従来技術の問題を解決することに指向するものであり、バックグランド・フォーマット処理が異常中断した場合、フォーマット処理中に書き込んだユーザデータを破壊することなくフォーマット処理を再開することができる情報記録再生装置及びフォーマット方法を提供することを目的とする。
【課題を解決するための手段】
【００１１】
この目的を達成するために、本発明に係る請求項１に記載される情報記録再生装置によれば、書き換え可能な情報記録媒体に読み書きを行う情報記録再生装置において、フォーマット処理が中断された情報記録媒体に、フォーマット処理を再開する際、実行する領域にＲＦ信号の有無を検出する検出手段と、検出手段の領域におけるＲＦ信号の検出に応じて、フォーマット処理の実行可否を制御する制御手段とを備えた構成によって、フォーマット処理が異常中断された場合に、先のフォーマット処理中に書き込みしたユーザデータを破壊することなく中断したフォーマット処理を再開することができる。
【００１２】
また、請求項２に記載される情報記録再生装置によれば、請求項１記載の情報記録再生装置において、フォーマット処理済み情報記録媒体の再フォーマット処理を開始する前に、情報記録媒体の全領域のＲＦ信号を消去する消去手段を備えた構成によって、以前に使用されていた情報記録媒体の再フォーマット処理においても、情報記録媒体のＲＦ信号の検出により先のフォーマット処理中に書き込みしたユーザデータを破壊することなく中断したフォーマット処理を再開することができる。
【００１３】
また、請求項３に記載される情報記録再生装置によれば、請求項１記載の情報記録再生装置において、検出手段によりＲＦ信号を検出した領域のデータを読み出す読出手段と、読出手段により読み出したデータとフォーマット処理で書き込むデータとの一致を判定する判定手段と、判定手段におけるデータ一致の判定に応じて、フォーマット処理の実行可否を制御する制御手段とを備えた構成によって、情報記録媒体に書き込まれたデータを判別するので先のフォーマット処理中に書き込みしたユーザデータを破壊することなく中断したフォーマット処理を再開することができる。
【００１４】
また、請求項４に記載される情報記録再生装置によれば、請求項１記載の情報記録再生装置において、検出手段によりＲＦ信号を検出した領域のデータを読み出す読出手段と、読出手段により読み出したデータをこの領域に再び書き込む書込手段とを備えた構成によって、情報記録媒体に書き込まれたデータを読み出した同一の領域に再書き込みするので先のフォーマット処理中に書き込みしたユーザデータを破壊することなく中断したフォーマット処理を再開することができる。
【００１５】
また、請求項５に記載されるフォーマット方法によれば、書き換え可能な情報記録媒体に読み書きを行う情報記録再生装置のフォーマット方法において、フォーマット処理が中断された情報記録媒体に、フォーマット処理を再開する際、実行する領域において検出手段でＲＦ信号の有無を検出し、検出手段の領域におけるＲＦ信号の検出に応じて、制御手段のフォーマット処理の実行可否を制御する方法によって、フォーマット処理が異常中断された場合に、先のフォーマット処理中に書き込みしたユーザデータを破壊することなく中断したフォーマット処理を再開することができる。
【００１６】
また、請求項６に記載されるフォーマット方法によれば、請求項５記載のフォーマット方法において、フォーマット処理済み情報記録媒体の再フォーマット処理を開始する前に、消去手段により情報記録媒体の全領域のＲＦ信号を消去する方法によって、情報記録媒体のＲＦ信号の検出により先のフォーマット処理中に書き込みしたユーザデータを破壊することなく中断したフォーマット処理を再開することができる。
【発明の効果】
【００１７】
以上説明したように、本発明によれば、バックグランド・フォーマット処理が異常中断した場合、フォーマット処理中に書き込まれたユーザデータを破壊することなくフォーマット処理の再開を可能とし、かつ新規ディスク、またはフォーマット済みディスクに再フォーマット処理するディスクであっても同様に中断されたフォーマット処理を再開することができるという効果を奏する。
【発明を実施するための最良の形態】
【００１８】
以下、図面を参照して本発明における実施の形態を詳細に説明する。
【００１９】
図１は本発明の実施の形態における情報記録再生装置の概略構成を示すブロック図である。図１に示すように、情報記録再生装置は、ＣＤ−ＲＷ、ＤＶＤ＋ＲＷのような書き換え可能なディスク（情報記録媒体）１を回転駆動するためモータ２、回転制御部３、光ピックアップ４、信号制御部５、アクチュエータ制御部６、ドライブコントローラ７、バッファ８、レーザー駆動回路９、外部インターフェース１０等を備えている。なお、図１における矢印は、代表的信号や情報の流れを示しており、各ブロックの接続関係の全てを表すものではない。
【００２０】
光ピックアップ４は、ディスク１のスパイラル状または同心円状にトラック（記録領域）形成された記録面の所定位置にレーザー光を照射し、かつ記録面からの反射光を受光する。
【００２１】
信号制御部５は、光ピックアップ４からの出力信号を電流−電圧変換，増幅する回路、サーボ信号，ウォブル信号，ＲＦ信号，チルトセンサ信号等の検出回路、及び各種の補正，制御信号の生成回路などから構成されている。
【００２２】
アクチュエータ制御部６では、信号制御部５からの信号を受け、フォーカス，トラッキング，チルト，シーク等の制御信号を出力し、これらの制御信号に応じた駆動信号を生成して出力し光ピックアップ４に備えられたレンズアクチュエータ（図示せず）を駆動する。
【００２３】
そして、ドライブコントローラ７は、信号制御部５から出力の再生データや、情報記録媒体１へ書き込むための蓄積データを格納する一時記憶領域としてバッファ８を使用し、また、回転制御部３へのモータ２の駆動信号の出力、及び蓄積データに情報記録媒体１へ書き込むための変調を行ってレーザー駆動回路９に出力する。さらに、レーザー駆動回路９では、ドライブコントローラ７の指示に基づき、情報記録媒体１に照射するレーザー光出力の制御信号を光ピックアップ４に出力する。
【００２４】
また、外部インターフェース１０は、上位装置（パーソナルコンピュータ）１１との双方向の通信インターフェースであり、上位装置１１側と同種のインターフェース規格に準拠して、コマンド，データ等の送受信を行う。
【００２５】
本発明の実施の形態１における情報記録媒体のバックグランド・フォーマット処理について、図１を参照しながら説明する。いま、図１に示す情報記録再生装置にて、ディスク１がターンテーブル（図示せず）上に載置され、モータ２により一定回転で駆動され読み書きの処理が行われる。ここで、初めて使用するディスク１に対してバックグランド・フォーマット処理が行われる場合について述べる。
【００２６】
ドライブコントローラ７の指示に基づくレーザー駆動回路９からの制御信号に制御され、光ピックアップ４から出力されるレーザー光によって、ディスク１にフォーマットデータが書き込まれる。バックグランド・フォーマット処理のため、一定の領域に対してフォーマットデータの書き込み及び欠陥領域の判定等を行って、フォーマット処理を一旦終了し、ユーザデータの書き込み可能な状態とする。
【００２７】
この時点で、ユーザから所望するユーザデータの書き込み指示がなされると、上位装置１１から外部インターフェース１０を経て、ユーザデータがバッファ８に一時格納された後、ドライブコントローラ７に制御されるレーザー駆動回路９，光ピックアップ４を介してディスク１の領域に書き込みが行われる。また、ユーザデータはランダムに書き込まれることから未フォーマット領域に書き込まれる場合もあり、ユーザデータの書き込まれた位置を示す情報がビットマップテーブルに反映されディスク１に記録される。
【００２８】
そして、前述のユーザデータの書き込み処理の終了時のディスク１へのアクセスのないときには、一時終了していたフォーマット処理が再開されて、全領域を完了するまで行われる。なお、ディスク１のフォーマットデータ、ユーザデータが書き込まれた領域には、データの書き込まれたことを示すＲＦ信号が記録される。
【００２９】
ここで、バックグランド・フォーマット処理中に異常終了となった場合、ビットマップテーブルの更新が正常に行われていない状態で、同一のディスク１に対して再度のフォーマット処理を実行すると、先のフォーマット処理時に書き込んだユーザデータの領域を認識できずフォーマットデータに書き換えてしまう可能性がある。本発明はこれを防ぐため、ディスク１の領域にデータが書き込まれたことを示すＲＦ信号の検出手段を設けて、先のフォーマット時に書き込んだユーザデータの領域を認識する。
【００３０】
例えば、ディスク１の領域に書き込まれたＲＦ信号を光ピックアップ４、信号制御部５を介して検出し、さらにドライブコントローラ７に設けた制御手段により、この領域へのフォーマットデータの書き込み処理の可否を制御して、ユーザデータをフォーマットデータに書き換えてしまうことを防ぐことができる。
【００３１】
図２は本発明の実施の形態１におけるバックグランド・フォーマット処理中に異常終了したディスクにフォーマット処理を再開する動作を示すフローチャートである。また、図３は本実施の形態１におけるディスクの領域にデータが書き込まれていることを示すＲＦ信号の有無によりフォーマットデータの書き込み処理の可否を説明する図である。
【００３２】
図２に示すように、バックグランド・フォーマット処理を再開する場合、ディスク１のフォーマットデータを書き込む領域にＲＦ信号が記録されているか否かを確認する（Ｓ１）。この領域にＲＦ信号を確認しなかった場合（Ｓ１のＮｏ）、フォーマットデータの書き込みを行い（Ｓ２）、処理Ｓ３へ移る。このフォーマットデータのデータパターンとしては、規格によって定められることになるが、例えば、ＤＶＤ＋ＲＷの場合に「００Ｈ」または「ＡＡＨ」などがある。
【００３３】
また、処理Ｓ１において、この領域にＲＦ信号を確認した場合（Ｓ１のＹｅｓ）、処理Ｓ３へ移る。ディスク１の全領域にフォーマットデータが書き込まれたフォーマット処理の終了を確認する（Ｓ３）。フォーマット処理が終了ではないとき（Ｓ３のＮｏ）、処理Ｓ１へ移り、次の領域に対して前述した処理を行う。また、フォーマット処理が終了のとき（Ｓ３のＹｅｓ）、バックグランド・フォーマット処理を終了する。
【００３４】
以上のように、バックグランド・フォーマット処理中に異常終了した場合に、同じディスク１に対して再びフォーマット処理を行うときに、ユーザデータを壊すことなくフォーマット処理を再開することができる。
【００３５】
次に、本発明の実施の形態２について説明する。本実施の形態２は、前述した実施の形態１においてディスクの領域にデータが書き込まれていることを示すＲＦ信号を消去する手段を備えたものである。
【００３６】
本実施の形態２では、図１に示す情報記録再生装置に載置されるディスク１が、以前に使用されていたものであり、これに対して、再フォーマット処理するためにバックグランド・フォーマット処理を行う場合について述べる。
【００３７】
図４は本発明の実施の形態２におけるバックグランド・フォーマット処理を行う動作を示すフローチャートである。図４に示すように、本実施の形態２のフォーマット処理を行う場合、例えば、図１に示す光ピックアップ４，レーザー駆動回路９によって、フォーマット処理の開始前にディスク１の全領域のＲＦ信号を消去する処理を行う（Ｓ５）。その後、バックグランド・フォーマット処理を行う（Ｓ６）。
【００３８】
これにより、以前フォーマットされたディスク１に対して再フォーマットが開始され、さらに、バックグランド・フォーマット処理が異常終了した場合も、実施の形態１で説明したように、フォーマット中に書き込まれたユーザデータを破壊することなくフォーマット処理を再開することができる。
【００３９】
図５は本発明の実施の形態３におけるバックグランド・フォーマット処理中に異常終了したディスクにフォーマット処理を再開する動作を示すフローチャートである。また、図６は、本実施の形態３におけるディスクの領域にデータが書き込まれていることを示すＲＦ信号、及び書き込まれているフォーマットデータの有無により、フォーマットデータの書き込み処理の可否を説明する図である。
【００４０】
図５に示すように、バックグランド・フォーマット処理を再開する場合、ディスク１のフォーマットデータを書き込む領域にＲＦ信号が記録されているかを確認する（Ｓ１１）。この領域にＲＦ信号を確認しなかった場合（Ｓ１１のＮｏ）、フォーマットデータの書き込みを行い（Ｓ１４）、処理Ｓ１５へ移る。
【００４１】
また、図６に示すように、処理Ｓ１１において、この領域にＲＦ信号を確認した場合（Ｓ１１のＹｅｓ）、領域に書き込まれているデータを読み出し（Ｓ１２）、読み出したデータがフォーマットデータと位置するかを確認する（Ｓ１３）。処理Ｓ１３において、読み出したデータがフォーマットデータと一致したとき（Ｓ１３のＹｅｓ）、処理Ｓ１４へ移りフォーマットデータの書き込みを行う。
【００４２】
処理Ｓ１３において、フォーマットデータと一致しないとき（Ｓ１３のＮｏ）、処理Ｓ１５に移り、ディスク１の全領域にフォーマットデータが書き込まれたフォーマット処理の終了を確認する（Ｓ１５）。フォーマット処理の終了ではないとき（Ｓ１５のＮｏ）、処理Ｓ１１へ移り、次の領域に対して前述した処理を行う。フォーマット処理の終了のとき（Ｓ１５のＹｅｓ）、バックグランド・フォーマット処理を終了する。
【００４３】
これにより、実施の形態２のようにディスク１のＲＦ信号をフォーマット処理前に消去することなく、以前に使用されたディスク１であってもフォーマットデータの書き込み、及び欠陥領域の確認を行うことができ、また、書き込まれたデータを読み出しユーザデータとの判別を行うので、ユーザデータを破壊することなくフォーマット処理を再開することができる。
【００４４】
図７は本発明の実施の形態４におけるバックグランド・フォーマット処理中に異常終了したディスクにフォーマット処理を再開する動作を示すフローチャートである。また、図８は、本実施の形態４におけるディスクの領域にデータが書き込まれていることを示すＲＦ信号の検出時には、領域に書き込まれているデータを読み出して再書き込みする処理、またＲＦ信号の未検出時にはフォーマットデータの書き込み処理を説明する図である。
【００４５】
図７に示すように、バックグランド・フォーマット処理を再開する場合、ディスク１のフォーマットデータを書き込む領域にＲＦ信号が記録されている否かを確認する（Ｓ２１）。この領域にＲＦ信号を確認しなかった場合（Ｓ２１のＮｏ）、フォーマットデータの書き込みを行い（Ｓ２４）、処理Ｓ２５へ移る。
【００４６】
また、処理Ｓ２１において、この領域にＲＦ信号を確認した場合（Ｓ２１のＹｅｓ）、領域に書き込まれているデータを読み出す（Ｓ２２）。図８に示すように読み出したデータをその領域に再書き込みを行って（Ｓ２３）、処理Ｓ２５へ移る。
【００４７】
処理Ｓ２５において、ディスク１の全領域にフォーマットデータが書き込まれたフォーマット処理の終了を確認する（Ｓ２５）。フォーマット処理の終了ではないとき（Ｓ２５のＮｏ）、処理Ｓ２１へ移り、次の領域に対して前述した処理を行う。フォーマット処理の終了のとき（Ｓ２５のＹｅｓ）、バックグランド・フォーマット処理を終了する。
【００４８】
これにより、ＲＦ信号を検出した位置に書かれているデータを読み出し再書き込みを行うので、この領域のデータをフォーマットデータかユーザデータの区別なく処理することができ、ユーザデータを破壊することなくフォーマット処理を再開することができる。
【産業上の利用可能性】
【００４９】
本発明に係る情報記録再生装置及びフォーマット方法は、バックグランド・フォーマット処理が異常中断した場合、フォーマット処理中に書き込まれたユーザデータを破壊することなくフォーマット処理の再開を可能とし、かつ新規ディスク、またはフォーマット済みディスクに再フォーマット処理するディスクであっても同様に中断されたフォーマット処理を再開することができ、書き換え可能型の情報記録媒体に読み書きを行う情報記録再生装置において、ＣＤ−ＲＷ，ＤＶＤ＋ＲＷ，ＤＶＤ−ＲＷ、ＤＶＤ−ＲＡＭ等の情報記録媒体のフォーマット処理等を行う場合に有用である。
【図面の簡単な説明】
【００５０】
【図１】本発明の実施の形態における情報記録再生装置の概略構成を示すブロック図
【図２】本発明の実施の形態１におけるバックグランド・フォーマット処理中に異常終了したディスクにフォーマット処理を再開する動作を示すフローチャート
【図３】本実施の形態１におけるディスク領域ＲＦ信号の有無でフォーマット処理の可否を説明する図
【図４】本発明の実施の形態２におけるバックグランド・フォーマット処理を行う動作を示すフローチャート
【図５】本発明の実施の形態３におけるバックグランド・フォーマット処理中に異常終了したディスクにフォーマット処理を再開する動作を示すフローチャート
【図６】本実施の形態３におけるディスク領域のＲＦ信号、及びフォーマットデータの有無で、フォーマット処理の可否を説明する図
【図７】本発明の実施の形態４におけるバックグランド・フォーマット処理中に異常終了したディスクにフォーマット処理を再開する動作を示すフローチャート
【図８】本実施の形態４におけるディスク領域のＲＦ信号の検出時の、書き込まれているデータを読み出して再書き込みする処理と、ＲＦ信号の未検出時のフォーマット処理とを説明する図
【符号の説明】
【００５１】
１  ディスク（情報記録媒体）
２  モータ
３  回転制御部
４  光ピックアップ
５  信号制御部
６  アクチュエータ制御部
７  ドライブコントローラ
８  バッファ
９  レーザー駆動回路
１０  外部インターフェース
１１  上位装置（パーソナルコンピュータ）
【図１】
2005063597.tif 000003
【図２】
2005063597.tif 000004
【図３】
2005063597.tif 000005
【図４】
2005063597.tif 000006
【図５】
2005063597.tif 000007
【図６】
2005063597.tif 000008
【図７】
2005063597.tif 000009
【図８】
2005063597.tif 000010